(57)【要約】      （修正有）【課題】長時間正座しても膝と足の甲に負担がかからず、正しい姿勢で正座でき、また着座時の姿勢が正座姿勢に見える正座椅子を提供する。【解決手段】座部２と座部２を下方から支持する脚部１０とを備える正座椅子１において、正座椅子１の使用時に座部２の上面が使用者の前方に向けて水平面に対し下方に所定の角度αで傾斜する。【選択図】図２
0003199228.tif 000002
【実用新案登録請求の範囲】
【請求項１】
座部と該座部を下方から支持する脚部とを備える正座椅子において、
正座椅子の使用時に前記座部の上面が使用者の前方に向けて水平面に対し下方に所定の角度で傾斜する
ことを特徴とする正座椅子。
【請求項２】
前記脚部はＵ字状部材を含み、前記Ｕ字状部材は、正座椅子の使用時に使用者の前方側に位置する端部に形成された第１湾曲部、使用者の後方側に位置する端部に形成された第２湾曲部、及びこれらの湾曲部を接続する平坦部によって構成され、前記平坦部が前記座部に取り付けられることにより前記脚部が前記座部に固定され、前記第１湾曲部が前記第２湾曲部よりも短く形成されることにより、正座椅子の使用時に前記座部の上面が使用者の前方に向けて水平面に対し下方に所定の角度で傾斜する
ことを特徴とする正座椅子。
【請求項３】
請求項１又は２に記載の正座椅子において、
前記所定の角度は、３°〜１０°の範囲内にある
ことを特徴とする正座椅子。
【請求項４】
請求項４に記載の正座椅子において、
前記所定の角度は、４°である
ことを特徴とする正座椅子。
【考案の詳細な説明】
【技術分野】
【０００１】
本考案は、足への負担を軽減するために使用される正座椅子に関する。
【背景技術】
【０００２】
法事や茶席などの礼儀を重んじる、長時間の正座を必要とする場所において、足への負担を軽減するために使用される正座椅子が知られている。従来の正座椅子は、座部と、該座部を所定高さで支える支持脚と、を備えている。
一般的には、座部の下面中央に支持脚を取り付けて構成して、両足の間に支持脚が位置するように使用する正座椅子や、座部の幅方向の両側に一対の支持脚を取り付けることにより、正座椅子の全体形状を略コの字型として、当該一対の支持脚間に折り曲げた両足を挿入して、座部に臀部を載せて使用するようにした正座椅子が知られている。
【考案の概要】
【考案が解決しようとする課題】
【０００３】
しかしながら、従来の正座椅子は、座部の上面が水平面と平行であるため、膝の折り曲げ角度が大きく、また、足の甲が反ってしまっていた。このため、膝と足の甲への負担が大きい。この膝の折り曲げ角度を小さくするために、座部の位置を高くすると、着座時の姿勢が正座姿勢に見えないという問題点がある。
本考案は、以上のような事情や問題点に鑑みてなされたものであり、長時間正座しても膝と足の甲に負担がかからず、正しい姿勢で正座でき、また着座時の姿勢が正座姿勢に見える正座椅子を提供することを目的とする。
【課題を解決するための手段】
【０００４】
上記目的を達成するため、本考案の正座椅子は、座部と該座部を下方から支持する脚部とを備える正座椅子において、正座椅子の使用時に前記座部の上面が使用者の前方に向けて水平面に対し下方に所定の角度で傾斜する。
この構成によれば、座部の上面が水平面に対して前方へ傾斜しているので、使用者の膝の折り曲げ角度が小さく、また、足の甲がゆるやかになるため、膝と足の甲への負担が軽減される。
座部の上面と水平面との間の角度を設定するために、以下の構成を採用することができる。即ち、前記脚部はＵ字状部材を含み、前記Ｕ字状部材は、正座椅子の使用時に使用者の前方側に位置する端部に形成された第１湾曲部、使用者の後方側に位置する端部に形成された第２湾曲部、及びこれらの湾曲部を接続する平坦部によって構成され、前記平坦部が前記座部に取り付けられることにより前記脚部が前記座部に固定され、前記第１湾曲部は前記第２湾曲部よりも短く形成されることにより、正座椅子の使用時に前記座部の上面が使用者の前方に向けて水平面に対し下方に所定の角度で傾斜する。
上記傾斜角度が小さすぎると、従来の正座椅子と同等の効果しか得られず、逆に大きすぎると、正座姿勢に見えず、礼儀を重んじる場所において、場を乱すことになる。前記傾斜角度は、３°〜１０°の範囲内にあることが好ましく、
最も好ましくは４度である。
【図面の簡単な説明】
【０００５】
【図１】本考案に係る正座椅子の一実施形態の斜視図である。
【図２】同実施形態の断面図である。
【図３】使用者が床に正座した状態の側面図である。
【図４】使用者が本考案に係る正座椅子に着座した際の側面図である。
【考案を実施するための形態】
【０００６】
以下、本考案の一実施形態を図面に基づいて説明する。
本実施形態に係る正座椅子１は、図１及び図２にされるように、座部２と、該座部２を所定高さで支える一対の脚部１０と、を主な構成要素としている。
座部２は、座板、該座板の上面に載置したクッション、これらを被覆したカバー等を備えることができ、座部２の上面は平坦である。座板には木板、クッションにはスポンジやウレタン、カバーには合成皮や市販の布地類などが好適である。
図２に示されるように、各脚部１０は、Ｕ字状部材１１と、Ｕ字状部材１１の下方に設けられ、使用時に床に置かれる直線部材１２とによって構成されている。これらのＵ字状部材１１及び直線部材１２は、角材によって形成されている。
Ｕ字状部材１１は、一端に形成された第１湾曲部１１ａと、他端に形成された第２湾曲部１１ｂと、これらの湾曲部１１ａ，１１ｂを接続する平坦部１１ｃとを備えている。正座椅子の使用時において、第１湾曲部１１ａが使用者の前方側に位置し、第２湾曲部１１ｂが使用者の後方側に位置する。湾曲部１１ａ，１１ｂの先端部は、接着剤又は固定具によって直線部材１２の両端にそれぞれ固定されている。これにより、Ｕ字状部材１１と直線部材１２とが同じ平面において一体に固定されている。
第１湾曲部１１ａは、第２湾曲部１１ｂよりも短く形成されている。これにより、湾曲部１１ａ，１１ｂの先端部が直線部材１２の両端に一体に取り付けられた状態において、Ｕ字状部材１１の平坦部１１ｃと直線部材１２とが平行しておらず、これらの間に所定の角度αを有する。そのため、正座椅子１の使用時、即ち直線部材１２が床に置かれた状態においては、Ｕ字状部材１１の平坦部１１ｃと床との間に所定の角度αが形成され、その平坦部１１ｃが使用者の前方に向けて水平面（床）に対し所定の角度αで下方に傾斜するようになる。
座部２が脚部１０の上方に設けられている。Ｕ字状部材１１の平坦部１１ｃには２つの貫通孔Ｈが形成され、ネジ５をこれらの貫通孔Ｈに挿入して座部２に旋入することにより、脚部１０が座部２に固定される。このように脚部１０が座部２に固定された場合は、座部２がＵ字状部材１１の平坦部１１ｃと同じ方向に延伸するようになる。従って、正座椅子１の使用時において、座部２と床との間に所定の角度αが形成され、座部２の上面が使用者の前方に向けて水平面（床）に対し所定の角度αだけ下方に傾斜するようになる。
より詳細には、正座椅子１を床（水平面）に置いて使用する際に、座部２の上面の傾斜下方を前方、傾斜上方を後方として用いる。そして、図３及び図４に示すように、所望の位置で使用者Ａが正座姿勢をとった後、正座椅子１の一対の脚部１０間に両足Ｂが位置するように、臀部Ｃと両足Ｂの間に正座椅子１を使用者Ａの後方から前方方向へ挿入し、臀部Ｃを座部２に載せるのみでよい。このとき、使用者Ａの前方に正座椅子１の前方が挿入されており、これにより、使用者Ａの体重は全て正座椅子１に支えられ、両足Ｂにほとんど体重がかからないので、長時間の正座が可能になる。
この効果に加え、本実施形態に係る正座椅子１は、座部２の上面が水平面に対して前方へ傾斜しているので、膝Ｄの折り曲げ角度が小さく、また、足の甲Ｅがゆるやかになるため、膝Ｄと足の甲Ｅへの負担が軽減される。
また、座部２の上面が水平面に対して前方へ傾斜しているので、使用者Ａが着座すると、自然と直立時と同じように背筋が伸びて理想的な姿勢になる。更に、座部２の上面が水平面に対して前方へ傾斜することにより、使用者Ａが着座している際に、体重の一部が膝Ｄによって負担されるため、座部２の上面が水平面に対して傾斜しない場合と比較して、使用者Ａの腰にかかる負荷が少ない。
本考案に係る正座椅子１において、座部２の上面の水平面に対する角度α、つまり座部２の上面の水平面に対する前方への傾斜角度αは、３度から１０度の範囲とすることが好ましく、最も好ましくは４度である。上記傾斜角度は、膝Ｄと足の甲Ｅへの負担を軽減できる角度であり、また、正座椅子１に着座したとき、正座姿勢に見える角度に設定しているものである。上記傾斜角度が小さすぎると、従来の正座椅子と同等の効果しか得られず、逆に大きすぎると、正座姿勢に見えず、礼儀を重んじる場所において、場を乱すことになる。
本実施形態は以下のように変形することもできる。
・本考案に係る正座椅子１を使用する際に、使用者が両足Ｂを脚部１０の間に挿入せず、正座椅子１の前方に置くこともできる。この場合においても、使用者が水平面に着座する場合に比べて、背筋が伸びて理想的な姿勢になるとともに、使用者Ａの腰にかかる負荷が少ない、という効果を奏することができる。
・本実施形態では、Ｕ字状部材の第１湾曲部１１ａの長さを第２湾曲部１１ｂよりも短くすることにより、座部２の上面と水平面との間の角度を設定するようにした。これに限らず、例えば座部２の前後の厚さを調整するなど、他の構成により座部２の上面と水平面との間の角度を設定することもできる。
・座部２の上面の水平面に対する前方への傾斜角度αは、３度から１０度の範囲とすることが好ましいが、具体的な需要により傾斜角度αをこの範囲外の角度に設定しても良い。
【符号の説明】
【０００７】
１          正座椅子
２          座部
１０        脚部
１１        Ｕ字状部材
１１ａ      第１湾曲部
１１ｂ      第２湾曲部
１１ｃ      平坦部
１２        直線部材
【図１】
0003199228.tif 000003
【図２】
0003199228.tif 000004
【図３】
0003199228.tif 000005
【図４】
0003199228.tif 000006